(57)【要約】【課題】  デュアルモード対応の携帯端末における無線ＬＡＮの使用率を向上させる。【解決手段】  携帯端末は、携帯電話事業者システムと通信する移動体通信部と、アクセスポイントを介して無線ＬＡＮに接続する無線ＬＡＮ通信部と、現在位置を計測し、現在位置情報として出力する位置情報取得部と、現在位置情報を携帯電話事業者システムへ通知し、現在位置に対応する管理エリア内に存在するアクセスポイントについての情報であるアクセスポイント情報を、携帯電話事業者システムからダウンロードする設定部と、ダウンロードしたアクセスポイント情報に基づいて無線ＬＡＮ通信部を制御する制御部と、を備える。【選択図】      図１
2015019265.tif 000002
【特許請求の範囲】
【請求項１】
携帯電話事業者システムと通信する移動体通信部と、
アクセスポイントを介して無線ＬＡＮに接続する無線ＬＡＮ通信部と、
現在位置を計測し、現在位置情報として出力する位置情報取得部と、
前記現在位置情報を前記携帯電話事業者システムへ通知し、前記現在位置に対応する管理エリア内に存在する前記アクセスポイントについての情報であるアクセスポイント情報を、前記携帯電話事業者システムからダウンロードする設定部と、
ダウンロードした前記アクセスポイント情報に基づいて前記無線ＬＡＮ通信部を制御する制御部と、
を備えることを特徴とする携帯端末。
【請求項２】
前記設定部は、前記現在位置と前記管理エリアの範囲を特定する範囲特定情報とを比較し、前記携帯端末が前記管理エリア外と判断した場合、新たな前記管理エリアについての前記アクセスポイント情報を、前記携帯電話事業者システムからダウンロードすることを特徴とする請求項１記載の携帯端末。
【請求項３】
前記制御部は、前記携帯端末が前記管理エリア内に設置された前記アクセスポイントの通信エリア内に存在するか否かを判定し、前記携帯端末が前記通信エリア内に存在する場合には前記無線ＬＡＮ通信部を動作させ、前記携帯端末が前記通信エリア内に存在しない場合には前記無線ＬＡＮ通信部の動作を停止することを特徴とする請求項１または２記載の携帯端末。
【請求項４】
所定の範囲に区画された管理エリア毎に、前記管理エリア内に存在するアクセスポイントについての情報であるアクセスポイント情報を記憶するデータベースと、
携帯端末の現在位置に対応する前記管理エリアについての前記アクセスポイント情報を、前記データベースから読み出して前記携帯端末へ送信する管理部と、
を備えることを特徴とする携帯電話事業者システム。
【請求項５】
所定の範囲に区画された管理エリア毎に、前記管理エリア内に存在するアクセスポイントについての情報であるアクセスポイント情報を記憶するデータベースと、前記管理エリア毎の前記アクセスポイント情報を、前記データベースから読み出して携帯端末へ送信する管理部と、を備える携帯電話事業者システムと、
前記携帯電話事業者システムと通信する移動体通信部と、前記アクセスポイントを介して無線ＬＡＮに接続する無線ＬＡＮ通信部と、現在位置を計測し、現在位置情報として出力する位置情報取得部と、前記現在位置情報を前記携帯事業者システムへ通知し、前記現在位置に対応する前記管理エリアについての前記アクセスポイント情報を、前記携帯電話事業者システムからダウンロードする設定部と、ダウンロードした前記アクセスポイント情報に基づいて前記無線ＬＡＮ通信部を制御する制御部と、を備える携帯端末と、
を備えることを特徴とする無線通信システム。
【請求項６】
前記アクセスポイントの状態変化に応じて前記アクセスポイント情報を更新し、更新した前記アクセスポイント情報を前記携帯電話事業者システムへ送信する無線ＬＡＮサービス提供システムを、さらに備えることを特徴とする請求項５記載の無線通信システム。
【請求項７】
携帯電話事業者システムと通信する第１ステップと、
アクセスポイントを介して無線ＬＡＮに接続する第２ステップと、
現在位置を計測し、現在位置情報として出力する第３ステップと、
前記現在位置情報を前記携帯電話事業者システムへ通知し、前記現在位置に対応する管理エリア内に存在する前記アクセスポイントについての情報であるアクセスポイント情報を、前記携帯電話事業者システムからダウンロードする第４ステップと、
ダウンロードした前記アクセスポイント情報に基づいて前記第２ステップを制御する第５ステップと、
を備えることを特徴とする制御方法。
【請求項８】
携帯電話事業者システムと通信する第１処理と、
アクセスポイントを介して無線ＬＡＮに接続する第２処理と、
現在位置を計測し、現在位置情報として出力する第３処理と、
前記現在位置情報を前記携帯電話事業者システムへ通知し、前記現在位置に対応する管理エリア内に存在する前記アクセスポイントについての情報であるアクセスポイント情報を、前記携帯電話事業者システムからダウンロードする第４処理と、
ダウンロードした前記アクセスポイント情報に基づいて前記第２処理を制御する第５処理と、
を、携帯端末のコンピュータに実行させるための制御プログラム。
【発明の詳細な説明】
【技術分野】
【０００１】
本発明は、携帯電話機能と無線ＬＡＮ（Local Area Network）通信機能とを搭載した携帯端末、携帯電話事業者システム、無線通信システム、制御方法、および制御プログラムに関する。
【背景技術】
【０００２】
携帯電話機能と無線ＬＡＮ通信機能とを搭載した、所謂、デュアルモード対応の携帯端末が知られている。無線ＬＡＮに接続するためには、接続に先立って予め携帯端末に対して、無線ＬＡＮアクセスポイントの情報（以下、「アクセスポイント情報」と呼ぶ）を設定する必要がある。しかしながら、アクセスポイント情報を設定するには、手動による面倒な設定作業が必要である。これが主な阻害要因となり、デュアルモード対応の携帯端末における無線ＬＡＮの使用率は停滞したままである。
【０００３】
一般的に、通信コストの面では、無線ＬＡＮのほうが携帯電話網よりも優れている場合が多い。従って、無線ＬＡＮを使用する場合のほうが、無線ＬＡＮを全く使用しない場合よりも通信コストを低くすることができる。
【０００４】
また、昨今、スマートフォン等の普及による携帯電話網のトラフィックの増大が問題となっており、携帯電話網のトラフィック低減が要望されている。すなわち、無線ＬＡＮを使用することにより、携帯電話網を使用した通信の機会が相対的に減り、結果として携帯電話網のトラフィックを低減させることができる。
【０００５】
また、集客率をより一層向上させるために、無線ＬＡＮを利用した人のみに優待サービス（クーポン等）を提供する場合がある。すなわち、無線ＬＡＮを使用することにより、ユーザは、上記優待サービスを受けることができる。そして、もちろん、無線ＬＡＮを使用するユーザが増加することは、無線ＬＡＮサービス提供者にとっても有益である。
【０００６】
無線ＬＡＮの制御について、たとえば、特許文献１には、現在位置が無線ＬＡＮの通信可能地域に入ったときに無線ＬＡＮ通信手段を起動する携帯端末が記載されている。
【先行技術文献】
【特許文献】
【０００７】
【特許文献１】特開２００６−１３５７２７号公報（ページＮｏ．３、５）
【発明の概要】
【発明が解決しようとする課題】
【０００８】
特許文献１において無線ＬＡＮ通信手段の起動制御に利用される通信可能地域情報（すなわち、アクセスポイントの通信範囲を規定する情報）は、上述したアクセスポイント情報に含まれる情報である。すなわち、特許文献１は、アクセスポイント情報が設定された後の制御について説明しているに過ぎず、アクセスポイント情報がどのようにして設定されるかについては全く言及していない。従って、特許文献１の技術では、無線ＬＡＮの設定（換言すれば、アクセスポイント情報の設定）の煩雑さによって無線ＬＡＮの使用率が向上しないという上記問題を解決することはできない。
【０００９】
本発明は、上記課題を解決するためになされたものであり、デュアルモード対応の携帯端末における無線ＬＡＮの使用率を向上させることが可能な、携帯端末、携帯電話事業者システム、無線通信システム、制御方法、および制御プログラムを提供することにある。
【課題を解決するための手段】
【００１０】
本発明の携帯端末は、携帯電話事業者システムと通信する移動体通信部と、アクセスポイントを介して無線ＬＡＮに接続する無線ＬＡＮ通信部と、現在位置を計測し、現在位置情報として出力する位置情報取得部と、前記現在位置情報を前記携帯電話事業者システムへ通知し、前記現在位置に対応する管理エリア内に存在する前記アクセスポイントについての情報であるアクセスポイント情報を、前記携帯電話事業者システムからダウンロードする設定部と、ダウンロードした前記アクセスポイント情報に基づいて前記無線ＬＡＮ通信部を制御する制御部と、を備える。
【００１１】
本発明の携帯電話事業者システムは、所定の範囲に区画された管理エリア毎に、前記管理エリア内に存在するアクセスポイントについての情報であるアクセスポイント情報を記憶するデータベースと、携帯端末の現在位置に対応する前記管理エリアについての前記アクセスポイント情報を、前記データベースから読み出して前記携帯端末へ送信する管理部と、を備える。
【００１２】
本発明の無線通信システムは、所定の範囲に区画された管理エリア毎に、前記管理エリア内に存在するアクセスポイントについての情報であるアクセスポイント情報を記憶するデータベースと、前記管理エリア毎の前記アクセスポイント情報を、前記データベースから読み出して携帯端末へ送信する管理部と、を備える携帯電話事業者システムと、前記携帯電話事業者システムと通信する移動体通信部と、前記アクセスポイントを介して無線ＬＡＮに接続する無線ＬＡＮ通信部と、現在位置を計測し、現在位置情報として出力する位置情報取得部と、前記現在位置情報を前記携帯事業者システムへ通知し、前記現在位置に対応する前記管理エリアについての前記アクセスポイント情報を、前記携帯電話事業者システムからダウンロードする設定部と、ダウンロードした前記アクセスポイント情報に基づいて前記無線ＬＡＮ通信部を制御する制御部と、を備える携帯端末と、を備える。
【００１３】
本発明の制御方法は、携帯電話事業者システムと通信する第１ステップと、アクセスポイントを介して無線ＬＡＮに接続する第２ステップと、現在位置を計測し、現在位置情報として出力する第３ステップと、前記現在位置情報を前記携帯電話事業者システムへ通知し、前記現在位置に対応する管理エリア内に存在する前記アクセスポイントについての情報であるアクセスポイント情報を、前記携帯電話事業者システムからダウンロードする第４ステップと、ダウンロードした前記アクセスポイント情報に基づいて前記第２ステップを制御する第５ステップと、を備える。
【００１４】
本発明の制御プログラムは、携帯電話事業者システムと通信する第１処理と、アクセスポイントを介して無線ＬＡＮに接続する第２処理と、現在位置を計測し、現在位置情報として出力する第３処理と、前記現在位置情報を前記携帯電話事業者システムへ通知し、前記現在位置に対応する管理エリア内に存在する前記アクセスポイントについての情報であるアクセスポイント情報を、前記携帯電話事業者システムからダウンロードする第４処理と、ダウンロードした前記アクセスポイント情報に基づいて前記第２処理を制御する第５処理と、を携帯端末のコンピュータに実行させるためのプログラムである。
【発明の効果】
【００１５】
本発明によれば、デュアルモード対応の携帯端末における無線ＬＡＮの使用率を向上させることが可能となる。
【図面の簡単な説明】
【００１６】
【図１】本発明の第１の実施形態に係る無線通信システムの構成例を示すブロック図である。
【図２】アクセスポイント情報の内容説明図である。
【図３】アクセスポイント統括情報の基本単位となる管理エリアを説明するための図である。
【図４】アクセスポイント統括情報の構成説明図である。
【図５】図１に示す携帯端末の動作例を説明するためのフローチャートである。
【図６】携帯端末が無線ＬＡＮの通信エリア内に存在する場合の動作説明図である。
【図７】携帯端末が無線ＬＡＮの通信エリア外に存在する場合の動作説明図である。
【図８】図１に示す携帯電話事業者システムの動作例を説明するためのフローチャートである。
【図９】本発明の第２の実施形態に係る携帯端末の構成例を示すブロック図である。
【図１０】制御プログラムの構成例を示すブロック図である。
【発明を実施するための形態】
【００１７】
［第１の実施形態］
図１は、本発明の第１の実施形態に係る無線通信システム１０の構成例を示すブロック図である。無線通信システム１０は、無線ＬＡＮサービス提供者システム１２と、携帯電話事業者システム１４と、携帯端末１６と、を備える。
【００１８】
無線ＬＡＮサービス提供者システム１２は、無線ＬＡＮアクセスポイント２０と、情報提供装置２２と、を備える。
【００１９】
無線ＬＡＮアクセスポイント２０は、無線ＬＡＮサービス提供者（例えば、店舗や自治体等）によるサービスを提供するために設置されるアクセスポイントである。無線ＬＡＮアクセスポイント２０は、インターネットなどのパケット交換網で構成される通信ネットワーク（図１において不図示）に接続されている。携帯端末１６は、無線ＬＡＮアクセスポイント２０経由で、上記通信ネットワークに接続することができる。
【００２０】
情報提供装置２２は、無線ＬＡＮアクセスポイント２０に関する情報である「アクセスポイント情報１００」を、携帯電話事業者システム１４へ送信する。
【００２１】
図２は、アクセスポイント情報１００の内容説明図である。アクセスポイント情報１００は、例えば、位置情報１０２と、電波状況情報１０４と、アクセス情報１０６と、を含む。位置情報１０２は、例えば、無線ＬＡＮアクセスポイント２０の緯度、経度、高度についての情報である。電波状況情報１０４は、例えば、無線ＬＡＮアクセスポイント２０の電波強度についての情報である。アクセス情報１０６は、無線ＬＡＮアクセスポイント２０を使用することが可能なユーザのユーザＩＤおよびパスワード等、無線ＬＡＮアクセスポイント２０にアクセスするために必要な情報である。
【００２２】
情報提供装置２２は、無線ＬＡＮアクセスポイント２０の状態変化に応じて、アクセスポイント情報１００を更新し、更新したアクセスポイント情報１００を、携帯電話事業者システム１４へ送信する。
【００２３】
携帯電話事業者システム１４は、上記通信ネットワークに接続されている。携帯端末１６は、携帯電話事業者システム１４経由で、上記通信ネットワークに接続することができる。
【００２４】
携帯電話事業者システム１４は、管理部３０と、データベース３２と、を備える。
【００２５】
管理部３０は、情報提供装置２２から受信したアクセスポイント情報１００に基づいて、「アクセスポイント統括情報１５０」を作成し、データベース３２へ登録する。管理部３０は、携帯端末１６から受信したアクセスポイント統括情報要求に含まれる、携帯端末１６の現在位置に対応する管理エリアについてのアクセスポイント統括情報１５０を、データベース３２から読み出し、携帯端末１６へ送信する。
【００２６】
アクセスポイント統括情報１５０について説明する。図３は、アクセスポイント統括情報１５０の基本単位となる「管理エリア」を説明するための図である。図３では、管理エリアが９個（Ａ〜Ｉ）ある場合を例に挙げる。各管理エリアＡ〜Ｉは、例えば、所定の範囲（たとえば、数キロメートル四方）を有する。各管理エリアＡ〜Ｉには、無線ＬＡＮアクセスポイント２０が適宜設置されている。たとえば、管理エリアＡには３つの無線ＬＡＮアクセスポイント２０が設置され、管理エリアＢには２つの無線ＬＡＮアクセスポイント２０が設置され、管理エリアＣには無線ＬＡＮアクセスポイント２０が一つも設置されていない、・・・などとなる。
【００２７】
図４は、アクセスポイント統括情報１５０の構成説明図である。アクセスポイント統括情報１５０は、管理エリアＡ〜Ｉ毎に、範囲特定情報１５２と、個別情報１５４とを備える。範囲特定情報１５２は、各管理エリアＡ〜Ｉの範囲を特定するための情報である。範囲特定情報１５２は、例えば、管理エリアを正方形とした場合には、起点座標情報（たとえば、左上点の座標情報）と一辺の長さ情報とで構成される。あるいは、範囲特定情報１５２は、例えば、管理エリアを円形とした場合には、中心座標と半径情報とで構成される。個別情報１５４は、各管理エリア内に存在する無線ＬＡＮアクセスポイント２０のアクセスポイント情報１００を含む。たとえば、管理エリアＡの場合、個別情報１５４には、３つの無線ＬＡＮアクセスポイント２０の各アクセスポイント情報１００が含まれる。
【００２８】
携帯端末１６は、移動体通信部３６と、無線ＬＡＮ通信部３８と、位置情報取得部４０と、設定部４２と、制御部４４と、を備える。
【００２９】
移動体通信部３６は、携帯電話事業者システム１４と通信する。無線ＬＡＮ通信部３８は、無線ＬＡＮアクセスポイント２０を介して無線ＬＡＮに接続する。
【００３０】
位置情報取得部４０は、ＧＰＳ（Global Positioning System）衛星（不図示）からの信号を受信して携帯端末１６の現在の位置を計測し、計測した位置情報（緯度、経度など）を設定部４２へ送信する。
【００３１】
設定部４２は、携帯端末１６が起動された時、「アクセスポイント統括情報要求」を、携帯電話事業者システム１４へ送信する。アクセスポイント統括情報要求は、携帯端末１６の現在位置を含む管理エリアについてのアクセスポイント統括情報１５０を要求するものである。アクセスポイント統括情報要求には、位置情報取得部４０から取得した、携帯端末１６の現在の位置情報が含まれる。設定部４２は、携帯電話事業者システム１４から、現在位置に対応する管理エリアに関するアクセスポイント統括情報１５０をダウンロードし、携帯端末１６に設定する。
【００３２】
設定部４２は、携帯端末１６の現在位置と設定された管理エリアの範囲特定情報１５２とを比較することで、携帯端末１６が管理エリア内か否かを判定する。管理エリア外の場合、設定部４２は、携帯電話事業者システム１４から、現在位置に対応する新たな管理エリアに関するアクセスポイント統括情報１５０をダウンロードして携帯端末１６に設定する。
【００３３】
制御部４４は、ダウンロードしたアクセスポイント統括情報１５０に含まれるアクセスポイント情報１００に基づいて無線ＬＡＮへの接続を制御する。
【００３４】
具体的には、制御部４４は、携帯端末１６が管理エリア内に存在する場合、携帯端末１６が、管理エリア内に設置された無線ＬＡＮアクセスポイント２０の通信エリア（アクセスポイント情報１００に基づいて規定されるエリア）内に存在するか否かを判定する。携帯端末１６が通信エリア内に存在する場合、制御部４４は、無線ＬＡＮ通信部３８をオンにする。この場合、制御部４４は、無線ＬＡＮアクセスポイント２０を経由して、携帯端末１６を通信ネットワークに接続させる。一方、携帯端末１６が通信エリア内に存在しない場合、制御部４４は、無線ＬＡＮ通信部３８をオフにする。この状態における、携帯端末１６と通信ネットワークとの通信は、携帯電話事業者システム１４を経由して行われる。
【００３５】
図５は、図１に示す携帯端末１６の動作例を説明するためのフローチャートである。
【００３６】
位置情報取得部４０は、携帯端末１６の現在位置を取得する（ステップＳ１）。設定部４２は、取得された現在位置の情報を含むアクセスポイント統括情報要求を、携帯電話事業者システム１４へ送信する（ステップＳ２）。
【００３７】
携帯電話事業者システム１４の管理部３０は、携帯端末１６から受信したアクセスポイント統括情報要求に含まれる、携帯端末１６の現在位置に対応する管理エリアについてのアクセスポイント統括情報１５０を、データベース３２から読み出し、携帯端末１６へ送信する。設定部４２は、携帯電話事業者システム１４から送信されたアクセスポイント統括情報１５０を受信（ダウンロード）して携帯端末１６に設定する（ステップＳ３）。
【００３８】
設定部４２は、携帯端末１６が、設定された管理エリア内に存在するか否かを判定する（ステップＳ４）。
【００３９】
携帯端末１６が管理エリア内に存在しない場合（ステップＳ４においてＮｏ）、設定部４２は、現在位置に対応する新たな管理エリアに関するアクセスポイント統括情報１５０をダウンロードして携帯端末１６に設定する処理を実行する（ステップ２、３が再度実行される）。
【００４０】
携帯端末１６が管理エリア内に存在する場合（ステップＳ４においてＹｅｓ判定）、制御部４４は、携帯端末１６が、管理エリア内に設置された無線ＬＡＮアクセスポイント２０の通信エリア内に存在するか否かを判定する（ステップＳ５）。
【００４１】
携帯端末１６が通信エリア内に存在する場合（ステップＳ５においてＹｅｓ判定）、制御部４４は、無線ＬＡＮ通信部３８をオンにする（ステップＳ６）。位置情報取得部４０は、携帯端末１６の現在位置を取得する（ステップＳ７）。その後、ステップＳ４の処理が再度実行される。
【００４２】
携帯端末１６が通信エリア内に存在しない場合（ステップＳ５においてＮｏ判定）、制御部４４は、無線ＬＡＮ通信部３８をオフにする（ステップＳ８）。その後、ステップＳ７が実行される。
【００４３】
図６は、携帯端末１６が無線ＬＡＮの通信エリア内に存在する場合の動作説明図である。この場合、無線ＬＡＮ通信部３８はオンとなる。従って、携帯端末１６は、無線ＬＡＮアクセスポイント２０を介して通信ネットワークに接続することができる。
【００４４】
なお、携帯端末１６は、複数の無線ＬＡＮアクセスポイント２０の通信エリアが重複する位置に存在する場合、それぞれの通信エリアのアクセスポイント情報１００の電波状況情報１０４同士を比較して、電波強度が最も高い無線ＬＡＮアクセスポイント２０に接続することができる。
【００４５】
図７は、携帯端末１６が無線ＬＡＮの通信エリア外に存在する場合の動作説明図である。この場合、無線ＬＡＮ通信部３８はオフとなる。このとき、携帯端末１６は、携帯電話事業者システム１４を経由して（すなわち、携帯電話網により）、通信ネットワークに接続する。
【００４６】
図８は、図１に示す携帯電話事業者システム１４の動作例を説明するためのフローチャートである。
【００４７】
管理部３０は、ＬＡＮサービス提供者システム１２の情報提供装置２２から、アクセスポイント情報１００を受信したか否かについて判定する（ステップＳ２０）。アクセスポイント情報１００を受信した場合（ステップＳ２０においてＹｅｓ判定）、管理部３０は、受信したアクセスポイント情報１００に基づいて、アクセスポイント統括情報１５０を作成する（ステップＳ２１）。アクセスポイント統括情報１５０は、データベース３２に記憶される。
【００４８】
その後、およびアクセスポイント情報１００を受信していない場合（ステップＳ２０においてＮｏ判定）、管理部３０は、携帯端末１６から、アクセスポイント統括情報要求を受信したか否かを判定する（ステップＳ２２）。要求を受信した場合（ステップＳ２２においてＹｅｓ判定）、管理部３０は、受信したアクセスポイント統括情報要求に含まれる、携帯端末１６の現在位置に対応する管理エリアについてのアクセスポイント統括情報１５０を、データベース３２から読み出し、携帯端末１６へ送信する（ステップＳ２３）。
【００４９】
ステップＳ２３の処理後、およびアクセスポイント統括情報要求を受信しない場合（ステップＳ２２においてＮｏ判定）、ステップＳ２０の処理が再度実行される。
【００５０】
以上説明した第１の実施形態において、アクセスポイント情報（実際には、管理エリア毎のアクセスポイント統括情報内に含まれる）は、携帯端末１６の位置に応じた管理エリア単位に、携帯端末１６に自動的にダウンロードされて設定される。すなわち、本実施形態において、アクセスポイント情報は、ユーザの手を煩わせることなく簡便に設定される。
【００５１】
従って、無線ＬＡＮの使用を阻害していた主要因が解消されるため、無線ＬＡＮの使用率を向上させることができる。無線ＬＡＮの使用率が向上することにより、コストパフォーマンスの向上、携帯電話網のトラフィックの低減、ユーザの利便性の向上、集客数の向上等が期待される。
【００５２】
また、本実施形態において、携帯端末１６が無線ＬＡＮアクセスポイント２０の通信エリア外にある場合、無線ＬＡＮ通信部３８はオフとなる。従って、無線ＬＡＮ通信部３８の消費電力を削減することができる。
【００５３】
また、本実施形態の場合、比較的小規模（たとえば、数キロメートル四方）の管理エリア単位でアクセスポイント情報がダウンロードされる方式を採用している。この方式と、管理エリアよりも広いエリア（例えば、携帯基地局のセルエリア）内のアクセスポイント情報を、たとえば、起動時などに一括してダウンロードする方式とを比較する。
【００５４】
後者の場合、ダウンロード範囲が広いため、アクセスポイントの数が膨大となることが予想される。したがって、携帯端末１６側に大容量のメモリ領域を設ける必要がある。また、携帯端末１６の移動範囲が比較的に狭い場合、後者の方式を採用した場合、使用される可能性が極めて低い無線ＬＡＮアクセスポイント２０のアクセスポイント情報までダウンロードされてしまう。したがって、通信トラフィックの上昇、および携帯端末１６において無駄に消費される電力量の増大が懸念される。
【００５５】
これに対して、前者（本実施形態の方式）の場合、携帯端末１６が現在位置する管理エリアについての情報のみを蓄積できるメモリ領域が確保されていればよく、後者のように、大容量のメモリ領域を設ける必要はない。さらに、前者の場合、後者と比較して無駄な情報がダウンロードされる可能性は相対的に低い。前者の場合、携帯端末１６がどこに移動してもその都度適切なアクセスポイント情報がダウンロードされるので、後者と比較して性能が低下することもない。
【００５６】
なお、本実施形態では、処理の対象となる無線ＬＡＮアクセスポイント２０は、無線ＬＡＮサービス提供者（例えば、店舗や自治体等）から提供されるアクセスポイントである場合を示したが、これに限定されない。たとえば、無線ＬＡＮアクセスポイント２０は、携帯電話事業者システム１４から携帯端末１６に対してアクセスポイント情報１００をダウンロード可能なアクセスポイント（すなわち、携帯電話事業者システム１４に対してアクセスポイント情報１００を登録することが可能なアクセスポイント）であれば、如何なるものであってもよい。
【００５７】
また、本実施形態では、管理エリアの数を９個とする場合を例に挙げたが、これはあくまで一例であって、管理エリアの数は上記に限定されない。
【００５８】
また、位置情報取得部４０における位置計測は、ＧＰＳによる位置計測に限定されることなく、他の位置計測であってもよい。
［第２の実施形態］
図９は、本発明の第２の実施形態に係る携帯端末２００の構成例を示すブロック図である。携帯端末２００は、ＣＰＵ（Central Processing Unit）２０２と、メモリ２０４と、を備える。
【００５９】
メモリ２０４は、制御プログラム３００を記憶する。制御プログラム３００は、ＣＰＵ２０２によって実行される。メモリ２０４の例としては、非一時的な記憶手段、たとえば、ＲＯＭ（Read Only Memory）、ハードディスク、リムーバブルメディア、あるいはリムーバブルディスク等を挙げることができる。
【００６０】
図１０は、制御プログラム３００の構成例を示すブロック図である。制御プログラム３００は、第１プログラム３０２と、第２プログラム３０４と、第３プログラム３０６と、を備える。
【００６１】
第１プログラム３０２は、携帯端末２００の現在位置を計測し、位置情報として出力するためのプログラムである。第１プログラム３０２は、図５のステップＳ１、Ｓ７の処理に対応する。
【００６２】
第２プログラム３０４は、携帯端末２００の現在位置を含む管理エリア内に存在する無線ＬＡＮアクセスアクセスポイントについての情報であるアクセスポイント情報を、携帯電話事業者システムからダウンロードして携帯端末２００に設定するためのプログラムである。第２プログラム３０４は、図５のステップＳ２、Ｓ３の処理に対応する。
【００６３】
第３プログラム３０６は、ダウンロードしたアクセスポイント情報に基づいて無線ＬＡＮへの接続を制御するためのプログラムである。第３プログラム３０６は、図５のステップＳ５、Ｓ６、Ｓ８の処理に対応する。
【００６４】
以上説明した第２の実施形態によれば、第１の実施形態と同様に、アクセスポイント情報は、ユーザの手を煩わせることなく簡便に設定される。従って、無線ＬＡＮの使用を阻害していた主要因が解消されるため、無線ＬＡＮの使用率を向上させることが可能となる。無線ＬＡＮの使用率が向上することにより、コストパフォーマンスの向上、携帯電話網のトラフィックの低減、ユーザの利便性の向上、集客数の向上等が期待される。
【符号の説明】
【００６５】
１０    無線通信システム
１２    無線ＬＡＮサービス提供者システム
１４    携帯電話事業者システム
１６    携帯端末
２０    無線ＬＡＮアクセスポイント
２２    情報提供装置
３０    管理部
３２    データベース
３６    移動体通信部
３８    無線ＬＡＮ通信部
４０    位置情報取得部
４２    設定部
４４    制御部
１００    アクセスポイント情報
１０２    位置情報
１０４    電波状況情報
１０６    アクセス情報
１５０    アクセスポイント統括情報
１５２    範囲特定情報
１５４    個別情報
２００    携帯端末
２０２    ＣＰＵ
２０４    メモリ
３００    制御プログラム
３０２    第１プログラム
３０４    第２プログラム
３０６    第３プログラム
Ａ〜Ｉ    管理エリア
【図１】
2015019265.tif 000003
【図２】
2015019265.tif 000004
【図３】
2015019265.tif 000005
【図４】
2015019265.tif 000006
【図５】
2015019265.tif 000007
【図６】
2015019265.tif 000008
【図７】
2015019265.tif 000009
【図８】
2015019265.tif 000010
【図９】
2015019265.tif 000011
【図１０】
2015019265.tif 000012